(57)【要約】      （修正有）【課題】製造が容易であり且つ使用寿命が長い箒を提供する。【解決手段】上下両端を有するカバー体２と、カバー体２の上端部に固定されている柄３と、カバー体２の下端部に固定されていると共に、該下端部に接する水平面に延伸している所定の第１の方向Ｐ１に重なり合っている複数の枝条ユニット４１を有する清掃部４とを具えている。各枝条ユニット４１は、カバー体２に固定されていると共に前記水平面に第１の方向Ｐ１と略垂直な第２の方向Ｐ２に延伸している竿状部材４１２と、第２の方向Ｐ２に沿って連なるように竿状部材４１２からそれぞれ下側の方に延伸している複数の枝条４１１とからなっている。【選択図】図３
0003187232.tif 000002
【実用新案登録請求の範囲】
【請求項１】
上下両端を有するカバー体と、
前記カバー体の上端部に固定されている柄と、
前記カバー体の下端部に固定されていると共に、該下端部に接する水平面に延伸している所定の第１の方向に重なり合っている複数の枝条ユニットを有する清掃部とを具えており、
各前記枝条ユニットは、前記カバー体に固定されていると共に前記水平面に前記第１の方向と略垂直な第２の方向に延伸している竿状部材と、該第２の方向に沿って連なるように前記竿状部材からそれぞれ下側の方に延伸している複数の枝条とからなっていること
を特徴とする箒。
【請求項２】
前記カバー体は、その下端に、前記第２の方向に沿って延伸している開口を有し、該開口内に、前記第２の方向に沿って延伸する上、前記第１の方向から前記清掃部に当接する少なくとも１つの当接部材が設けられている
ことを特徴とする請求項１に記載の箒。
【請求項３】
前記カバー体は、前記清掃部がそれらの間に挟持されて固定されるように前記第１の方向に重なり合っている第１のカバー枠材および第２のカバー枠材を有しており、
前記第１のカバー枠材は、前記第２の方向に延伸しているカバー壁と、前記柄の一端部を囲むように該カバー壁の上部に形成されている連結筒と、該カバー壁における該第２のカバー枠材に面する面に前記第２の方向に沿って延伸しながら該第２のカバー枠材に向かって突き出るように設けられた突起壁とを有しており、
各前記枝条ユニットの前記竿状部材は、下側から前記突起壁に当接するように前記第１のカバー枠材と前記第２のカバー枠材との間に収容されている
ことを特徴とする請求項１または請求項２に記載の箒。
【請求項４】
前記第１のカバー枠材は、前記カバー壁における該第２のカバー枠材に面する面に前記第２の方向に沿って互いに間隔を置いて排列されている共に、それぞれ前記第２のカバー枠材に向かって前記清掃部の各前記枝条ユニットを挿通するように突き出ている複数の位置留め突起を有する
ことを特徴とする請求項３に記載の箒。
【請求項５】
各前記枝条ユニットにおける前記竿状部材の上側面には、各前記位置留め突起にそれぞれ挿通されている複数のリングが前記第２の方向に沿って互いに間隔をおいて排列され、且つ上に突起するように設けられている
ことを特徴とする請求項４に記載の箒。
【請求項６】
前記カバー体は、複数の前記位置留め突起のうちの少なくとも１つに、該位置留め突起に挿通されていると共に前記第１の方向から前記清掃部に当接する当接リングが設けられている
ことを特徴とする請求項４または５に記載の箒。
【考案の詳細な説明】
【技術分野】
【０００１】
本考案は地面などを掃き掃除するための箒に関するものである。
【背景技術】
【０００２】
一般に、屋外で用いる箒としては例えば竹箒が用いられている。
【０００３】
図１には、従来の竹箒の例として特許文献１に挙げたものが示されている。
【０００４】
この竹箒１は、釣鐘型のカバー１１と、カバー１１の上部に連結されている柄１２と、カバー１１の下側から延伸するようにカバー１１内に固定されている竹枝束１３とにより構成されている。竹枝束１３は、複数の針金１４により束ねられた複数の竹枝１３１からなっている。
【０００５】
このような竹箒１を製造するに当たっては、まず、竹枝１３１を二本の針金１４により仮拘束して竹枝束１３となし、竹枝束１３の拘束端をカバー１１内に入れ、さらに液状の樹脂１５を竹枝束１３の拘束端がカバー１１に固定されるように流し込み硬化させることで、竹枝束１３がカバー１１に固定され竹箒１が完成する。
【先行技術文献】
【特許文献】
【０００６】
【特許文献１】特開平１０‐３２３３１２号明細書
【考案の概要】
【考案が解決しようとする課題】
【０００７】
しかしながら、上述したように、従来の箒においては竹枝１３１が針金１４により束ねられているが、針金で竹枝を束ねるには手作業が必要であり、作業に大変な手間と時間がかかるという問題がある。また、竹枝束１３は樹脂１５によりカバー１１に接着されているだけなので、固定強度が、竹箒として安定して長く使えるほど強くなく、使用につれて竹枝束１３がカバー１１から脱落してしまい使用できなくなるという問題がある。
【０００８】
本考案は、上記従来技術の各問題点に鑑みてなされたものであり、その目的は、製造が容易であり且つ使用寿命が長い箒の提供にある。
【課題を解決するための手段】
【０００９】
上記目的を達成するための手段として、本考案は、以下の手段を提供する。
【００１０】
即ち、上下両端を有するカバー体と、前記カバー体の上端部に固定されている柄と、前記カバー体の下端部に固定されていると共に、該下端部に接する水平面に延伸している所定の第１の方向に重なり合っている複数の枝条ユニットを有する清掃部とを具えており、各前記枝条ユニットは、前記カバー体に固定されていると共に前記水平面に前記第１の方向と略垂直な第２の方向に延伸している竿状部材と、該第２の方向に沿って連なるように前記竿状部材からそれぞれ下側の方に延伸している複数の枝条とからなっていることを特徴とする箒を提供する。
【００１１】
上記手段において、前記カバー体は、その下端に、前記第２の方向に沿って延伸している開口を有し、該開口内に、前記第２の方向に沿って延伸する上、前記第１の方向から前記清掃部に当接する少なくとも１つの当接部材が設けられていることが好ましい。
【００１２】
また、前記カバー体は、前記清掃部がそれらの間に挟持されて固定されるように前記第１の方向に重なり合っている第１のカバー枠材および第２のカバー枠材を有しており、前記第１のカバー枠材は、前記第２の方向に延伸しているカバー壁と、前記柄の一端部を囲むように該カバー壁の上部に形成されている連結筒と、該カバー壁における該第２のカバー枠材に面する面に前記第２の方向に沿って延伸しながら該第２のカバー枠材に向かって突き出るように設けられた突起壁とを有しており、各前記枝条ユニットの前記竿状部材は、下側から前記突起壁に当接するように前記第１のカバー枠材と前記第２のカバー枠材との間に収容されていることが好ましい。
【００１３】
また、前記第１のカバー枠材は、前記カバー壁における該第２のカバー枠材に面する面に前記第２の方向に沿って互いに間隔を置いて排列されている共に、それぞれ前記第２のカバー枠材に向かって前記清掃部の各前記枝条ユニットを挿通するように突き出ている複数の位置留め突起を有するとよい。
【００１４】
また、各前記枝条ユニットにおける前記竿状部材の上側面には、各前記位置留め突起にそれぞれ挿通されている複数のリングが前記第２の方向に沿って互いに間隔をおいて排列され、且つ上に突起するように設けられていてもよい。
【００１５】
更に、各前記枝条ユニットに前記リングを設けた場合には、前記カバー体の、複数の前記位置留め突起のうちの少なくとも１つに、該位置留め突起に挿通されていると共に前記第１の方向から前記清掃部に当接する当接リングが設けられていることが好ましい。
【考案の効果】
【００１６】
上記手段によれば、清掃部の各枝条ユニットにおいて、上記第２の方向に連なる複数の枝条が上端で竿状部材と繋がり、且つ、各竿状部材が上記第１の方向で重なり合うようにカバー部２に固定されるように構成されているので、枝条が清掃部から脱落しにくく、使用寿命が長い。また、複数の枝条が竿状部材に繋がっているので、製造に際して針金などで枝条を束ねる必要がなく、製造が容易である。
【図面の簡単な説明】
【００１７】
【図１】従来の箒を示す部分断面図。
【図２】本考案に係る箒の第１の実施形態を示す斜視図。
【図３】上記第１の実施形態を示す部分分解斜視図。
【図４】上記第１の実施形態を示す部分断面側視図。
【図５】上記第１の実施形態において清掃部材を成す複数の穂状体を示す説明図。
【図６】本考案に係る箒の第２の実施形態を示す部分分解斜視図。
【図７】上記第２の実施形態を示す部分断面側視図。
【考案を実施するための形態】
【００１８】
以下、添付図面を参照しながら、本考案の具体的な実施形態を詳細に説明する。
（第１の実施形態）
【００１９】
図２、図３、図４は、本考案に係る箒の第１の実施形態を示している。本実施形態に係る箒は、概ね、上下両端を有するカバー体２と、カバー体２の上端部に固定されている柄３と、カバー体２の下端部に固定されている清掃部４と、カバー体２に固定されていると共に清掃部４を挟み込むように清掃部４にそれぞれ当接する１対の当接部材５、５と、柄３の下端部に設けられているスナップ部材６とから構成されている。
【００２０】
カバー体２は、略三角形状に形成されており、図示されているように、その一角が上端部側に、その一辺が下端部側に位置している。また、図面においてＰ１で示されている第１の方向は、該下端部に接する水平面に沿って延伸する方向である。
【００２１】
カバー体２は、上記第１の方向Ｐ１に重なり合っている第１のカバー枠材２１と第２のカバー枠材２２とからなっており、これらの間に清掃部４が挟持されて固定されている。
【００２２】
第１のカバー枠材２１は、上記水平面に第１の方向Ｐ１と直交する第２の方向Ｐ２に延伸するように且つ三角形状に形成された第１のカバー壁２１１と、カバー体２の上端部となる第１のカバー壁２１１の上部に形成された連結筒２１２と、第１のカバー壁２１１における第２のカバー枠材２２に面する面に第２の方向Ｐ２に沿って延伸しながら第２のカバー枠材２２に向かって水平に突き出るように設けられた突起壁２１３とを有している。
【００２３】
第１のカバー壁２１１の第２のカバー枠材２２に面する面には更に、第２の方向Ｐ２に沿って互いに間隔を置いて突起壁２１３よりも下側に排列されていると共にそれぞれ第２のカバー枠材２２に向かって突き出ている複数の第１の位置留め突起２１４と、これら第１の位置留め突起２１４、２１４よりも下側で第２の方向Ｐ２に沿って互いに間隔を置いて排列されていると共にそれぞれ第２のカバー枠材２２に向かって突き出ている複数の第２の位置留め突起２１５とが設けられている。なお、各第１の位置留め突起２１４と各第２の位置留め突起２１５とは、上下方向に重ならないように配置されている。
【００２４】
連結筒２１２は、筒状に形成されており、その内面が、柄３の一端部（図示における下端部）に挿入されるように上下方向に延伸する連結孔２１６を画成している。該内面には、上下方向に延伸するスロット２１８が凹設されており、スロット２１８の下端には、柄３が連結孔２１６に挿入された際に柄３の下端部に設けられているスナップ部材６が嵌入する係止孔２１７が設けられている。
【００２５】
第２のカバー枠材２２は、第１のカバー壁２１１と形状対応すると共に、第１の方向Ｐ１に第１のカバー壁２１１と間隔を置いて第２の方向Ｐ２に延伸するように形成された第２のカバー壁２２１を有している。また、カバー体２は、その下端に、第２の方向Ｐ２に沿って延伸している長尺状の開口と、第１のカバー壁２１１と第２のカバー壁２２１と突起壁２１３との間に画成されていると共に上記長尺状の開口に連通している収容空間２３とを有している。
【００２６】
柄３は、使用者の把持に供するように上下方向に長手状に延伸している把持部３１と、把持部３１の下端に繋がりカバー体２の連結孔２１６に挿入され連結筒２１２に囲まれている連結部３２とを有している。連結部３２にはスナップ部材６を設置するための設置孔３２１が設けられている。なお、本実施形態において柄３はプラスチックからなっているが、金属からなってもよく、その材質は限定されない。
【００２７】
清掃部４は、第１の方向Ｐ１に重なり合っている複数の（図示においては６つの）枝条ユニット４１からなっている。
【００２８】
複数の枝条ユニット４１は、それぞれ、下側からカバー体２の突起壁２１３に当接するように第１のカバー枠材２１と第２のカバー枠材２２との間の収容空間２３に収容されていると共に第２の方向Ｐ２に延伸している竿状部材４１２と、第２の方向Ｐ２に沿って連なるように竿状部材４１２から下側の方に穂状にそれぞれ延伸している複数の枝条４１１とからなっている。なお、各枝条ユニット４１は一体に形成されたものであり、つまり竿状部材４１２と複数の枝条４１１とは一体に繋がっている。
【００２９】
複数の枝条４１１の間には、カバー体２の第１と第２の位置留め突起２１４、２１５がそれぞれ第１の方向Ｐ１に挿通されている。なお、本実施形態においては、６つの枝条ユニット４１のうち３つはそれらの竿状部材４１２が突起壁２１３と各第１の位置留め突起２１４の間に位置するように比較的上側に配置されており、また他の３つはそれらの竿状部材４１２が各第１の位置留め突起２１４と各第２の位置留め突起２１５の間に位置するように比較的下側に配置されている。つまり、各枝条ユニット４１のうち上側に位置する３つの竿状部材４１２は、上方で突起壁２１３に、下方で各第１の位置留め突起２１４にそれぞれ係止されていると共に、下側に位置する３つの竿状部材４１２は、上方で各第１の位置留め突起２１４に、下方で各第２の位置留め突起２１５にそれぞれ係止されている。また、６つの枝条ユニット４１は、上側に配置されているものと下側に配置されているものとが互い違いになっている。
【００３０】
なお、枝条ユニット４１は本実施形態においては上述のように６つ用いたが、その数量は限定されない。また、それぞれの枝条ユニット４１は一体に形成される、つまり竿状部材４１２と各枝条４１１とが一体に繋がるようにプラスチックにより構成したが、他の材料によっても構成しても構わない。また、図示のように、枝条４１１の形状は一般の竹枝のように不規則な分枝を有しており、枝条ユニット４１は下方に向かうほど広がる扇状に形成されている。
【００３１】
１対の当接部材５、５は、ゴム材からなっており、それぞれカバー体２の上記開口内、つまり収容空間２３において第２の方向Ｐ２に沿って延伸するように形成されていると共に、第１の方向Ｐ１の両側から清掃部４の各枝条ユニット４１の各枝条４１１を挟み込むように各枝条４１１に当接するよう、一方が第１のカバー壁２１１に、他方が第２のカバー壁２２１に固定されている。これによりカバー体２の清掃部４に対する固定をより安定にすることができる。
【００３２】
なお、本実施形態では上述のように当接部材５を２つ設けたが、１つだけ設けて、第１の方向Ｐ１の片側から各枝条４１１に当接するように構成しても構わない。
【００３３】
スナップ部材６は、図４に示されているように、柄３の設置孔３２１内に配置されており、柄３の延伸方向である上下方向と直交する水平方向に弾性を有する壁部６１と、壁部６１から連続していると共に外側に突き出ているスナップ部６２とからなっている。柄３をカバー体２に連結する際に、柄３のスナップ部材６が設けられている側の一端をスナップ部６２がカバー体２側のスロット２１８を通るように連結孔２１６に挿入すると、スナップ部６２がスロット２１８の下端で係止孔２１７に突き出て係止される。これにより柄３とカバー体２との連結が果たされる。
【００３４】
本実施形態においては、スナップ部材６は柄３と一体に形成されている。また、スナップ部６２および係止孔２１７の形状は図示されているような矩形に限らず、円形でもよい。また、本実施形態における構成とは逆に、カバー体２側にスナップ部６２となる突起部を設け、柄３側に係止孔２１７となる孔を設けるように構成しても構わない。
【００３５】
以下、図３、図４、図５を参照に、上記実施形態を有する箒の組立方法を例示する。
【００３６】
図５に示されているように、本実施形態では清掃部４が６つの枝条ユニット４１により構成される。説明の便宜のためにこれら６つの枝条ユニット４１を第１の枝条ユニットないし第６の枝条ユニットと呼称する。
【００３７】
まず、第１の枝条ユニットを、その上端、つまり竿状部材４１２が第１のカバー枠材２１の突起壁２１３に下側から当接する共に、第１と第２の位置留め突起２１４、２１５がそれぞれ第１の枝条ユニットの枝条４１１と枝条４１１の間に挿通するように配置する。
【００３８】
次に、第２の枝条ユニットを、第１の枝条ユニットと第１の方向Ｐ１に重なるように、その上端、つまり竿状部材４１２が各第１の位置留め突起２１４に下側から当接する共に、第２の位置留め突起２１５のみが第２の枝条ユニットの枝条４１１と枝条４１１の間に挿通するように配置する。
【００３９】
このように配置すると、上述のように各第２の位置留め突起２１５が各第１の位置留め突起２１４よりも下側に排列されている上に、各第２の位置留め突起２１５と各第１の位置留め突起２１４とが上下方向に重ならないように配置されているので、第１と第２の枝条ユニットそれぞれの竿状部材４１２は、上下方向および左右方向にそれぞれずれるように、つまり第１の方向Ｐ１で重ならないように配置される（図４参照）。他の枝条ユニット（第３〜第６の枝条ユニット）も、第１と第２の枝条ユニットと同様に配置する。これにより、各枝条ユニット同士の第１の方向Ｐ１における間隔を狭められると共に、各枝条ユニットの枝条４１１が第１の方向Ｐ１でずれて配置されるようになる。つまり各枝条４１１がより密集する。
【００４０】
清掃部４を上述のように組み立てた後に、第１のカバー枠材２１と第２のカバー枠材２２とを第１の方向Ｐ１に重ね合わせて、ねじを用いて固定する。この際、第１のカバー枠材２１と第２のカバー枠材２２それぞれの内側に設けられている１対の第１の挟持部材５、５により枝状４１１の上側、つまり竿状部材４１２に近い側が緊密に挟まれて、清掃部４がカバー部２に安定に固定される。
【００４１】
最後に、スナップ部材６のスナップ部６２がカバー体２の連結孔２１６内のスロット２１８に嵌るように柄３の連結部３２を連結孔２１６に挿入する。スナップ部６２がスロット２１８の下端に設けられている係止孔２１７に嵌入すると、柄３とカバー体２とが連結され、これにより本実施形態に係る箒の組立が果たされる。
【００４２】
なお、本考案に係る箒は、収納や部品の交換などのために、柄３をカバー体２から外すことも可能である。スナップ部６２を外側から押し込めるように押せば、スナップ部６２と係止孔２１７との係止が解除され、柄３とカバー体２とを分離できる。
【００４３】
本考案に係る箒の使用方法は、一般の竹箒と同様だが、当接部材５が弾性を有しているので、掃き掃除をする際に、清掃部４の動きが当接部材５により緩衝され、動きがよりスムーズになり、使用しやすい。また、当接部材５が弾性を有していることにより圧されることで厚みが変わるので、枝条ユニット４１の数量を適宜変えることができる。更に、本実施形態においては、清掃部４の各枝条４１１がプラスチックからなっているので、竹枝よりも折れにくい。
【００４４】
以上まとめると、本考案の実施形態においては、各枝条ユニット４１は一体に形成されている上に、これら枝条ユニット４１が重ね合わされてカバー体２内に各位置留め突起２１４、２１５により固定されて清掃部４を構成しているので、枝条を束ねるための針金などが不要であり、組立が容易である上に、清掃部４のカバー体２への固定が安定している、つまり枝条４１１が脱落しにくい。
（第２の実施形態）
【００４５】
図６、図７には、本考案に係る箒の第２の実施形態が示されている。第２の実施形態は第１の実施形態と概ね同じだが、カバー部２および清掃部４の構成が異なっている。
【００４６】
本実施形態における清掃部４の各枝条ユニット４１は、それらの竿状部材４１２の上側面に、第２の方向Ｐ２に沿って互いに間隔をおいて排列されていると共に上に突起する複数のリング４１３が設けられている。
【００４７】
説明の便宜のために、６つの枝条ユニット４１のうち、それぞれ竿状部材４１２が比較的上側に位置する３つを上側枝条ユニット、比較的下側に位置する３つを下側枝条ユニットと呼称する。本実施形態においては、上側枝条ユニットに設けられているリング４１３はそれぞれ第１の位置留め突起２１４に挿通されており、下側枝条ユニットに設けられているリング４１３はそれぞれ第２の位置留め突起２１５に挿通されている。
【００４８】
また、他の変化形態としては、第１の位置留め突起２１４と第２の位置留め突起２１５とのいずれか一方だけを設けて、６つすべての枝条ユニット４１のリング４１３が第１の位置留め突起２１４あるいは第２の位置留め突起２１５に挿通されるように構成しても構わない。
【００４９】
加えて、本実施形態では、カバー体２に、第１の位置留め突起２１４にそれぞれ挿通されていると共に第１の方向Ｐ１の両側から清掃部４の各リング４１３を挟み込むように各リング４１３に当接している複数組の第１の当接リング７と、第２の位置留め突起２１５にそれぞれ挿通されていると共に第１の方向Ｐ１の両側から清掃部４の各リング４１３を挟み込むように各リング４１３に当接している複数組の第２の当接リング８とが設けられている。これら第１と第２の当接リング７、８を設けることによりカバー部２の清掃部４に対する摩擦が増し挟持がより安定する。
【００５０】
なお、第１の当接リング７と第２の当接リング８とはどちらか一方だけを設けてもよく、更にはいずれかが複数の第１と第２の位置留め突起２１４、２１５の内の少なくとも１つに設けられればよい。
【００５１】
以上、本考案の好ましい実施形態を説明したが、本考案はこれに限定されるものではなく、その要旨を逸脱しない範囲で種々変更可能であることはいうまでもない。
【産業上の利用可能性】
【００５２】
本考案に係る箒は、例えば従来の竹箒に代わるものとして有用である。
【符号の説明】
【００５３】
２           カバー体
２１         第１のカバー枠材
２１１       第１のカバー壁
２１２       連結筒
２１３       突起壁
２１４       第１の位置留め突起
２１５       第２の位置留め突起
２１６       連結孔
２１７       係止孔
２１８       スロット
２２         第２のカバー枠材
２２１       第２のカバー壁
２３         収容空間
３           柄
３１         把持部
３２         連結部
４           清掃部
４１         枝条ユニット
４１１       枝条
４１２       竿状部材
４１３       リング
５           当接部材
６           スナップ部材
６１         壁部
６２         スナップ部
７           第１の当接リング
８           第２の当接リング
【図１】
0003187232.tif 000003
【図２】
0003187232.tif 000004
【図３】
0003187232.tif 000005
【図４】
0003187232.tif 000006
【図５】
0003187232.tif 000007
【図６】
0003187232.tif 000008
【図７】
0003187232.tif 000009